(57)【要約】【課題】原稿が確実にニップ位置にガイドされ、当該原稿が１枚に分離されて搬送される原稿搬送装置を提供する。【解決手段】分離ローラ２と対向する位置の回動軸１５ａから分離ローラ２側に延出する第１部材１５ｂと、回動軸１５ａから第１の部材１５ｂの延出方向と異なる側に延出する第２部材１５ｃを有し、第１部材１５ｂが分離ローラ２側に付勢されるように、回動軸１５ａに回動可能に配設された回動部材１５を設けたので、搬送路に原稿が侵入した場合には、第２部材１５ｃの位置変化が検知部１６ａで検知されるとともに、前記原稿の先端が、第１部材１５ｂにより分離ローラ２側にガイドされ、原稿が確実にニップ位置にガイドされる。【選択図】図４
2011207542.tif 000002
【特許請求の範囲】
【請求項１】
回転駆動される分離ローラと、
前記分離ローラ上の対向位置に回動可能に配設され、前記分離ローラ側に付勢された分離片と、
前記分離ローラ及び分離片との間に形成された搬送路への原稿の侵入を検知する検知手段とを有し、
前記検知手段が前記搬送路への原稿の侵入を検知した場合には、前記分離ローラが回転し、原稿先端と前記分離片との摩擦抵抗により重ねられた原稿の１枚のみを送給する原稿送給装置において、
前記搬送路を挟んで前記分離ローラと対向する位置を回動軸として回動可能に配設された回動部材を有し、
前記回動部材は、
前記回動軸から分離ローラ側に延出する第１部材と、
前記回動軸から前記第１の部材の延出方向と異なる方向に延出する第２部材を有し、
前記回動部材は、前記第１部材が前記分離ローラ側に近接する方向へ付勢され、
前記搬送路に原稿が侵入した場合には、
原稿の先端は、前記第１部材により前記分離ローラ側にガイドされ、
検知手段は、前記第２部材の位置変化を検知することにより、前記搬送路への原稿の侵入を検知することを特徴とする原稿送給装置。
【請求項２】
前記回動部材は、搬送される前記原稿の原稿面の上面側位置に設けられ、
前記第２部材の自重により、前記第１の部材が、前記回動軸を支点として、前記分離ローラ側に近接する方向へ付勢されることで、前記第１部材が搬送状態にある原稿を当該原稿の下面側方向にガイドすることを特徴とする請求項１に記載の原稿送給装置。
【請求項３】
前記第２部材の回転軸からの質量モーメントが、前記第１部材の回転軸からの質量モーメントよりも大きくなるように前記回動部材が構成されていることを特徴とする請求項２に記載の原稿搬送装置。
【請求項４】
前記第１部材には、分離ローラ側に曲線状に膨出する膨出部が形成されていることを特徴とする請求項１〜請求項３のいずれかに記載の原稿搬送装置。
【請求項５】
前記第１部材が、分離ローラと分離片が接触するニップ位置方向に近接するように構成されていることを特徴とする請求項１〜請求項４のいずれかに記載の原稿搬送装置。
【請求項６】
前記第１部材は回転軸から前記分離ローラの回動軸方向に沿って、前記分離ローラの両側に配置されていることを特徴とする請求項１〜請求項５のいずれかに記載の原稿搬送装置。
【請求項７】
前記第１部材は、前記分離ローラの回転軸方向に沿って、前記分離ローラの外側に配置されていることを特徴とする請求項６に記載の原稿搬送装置。
【発明の詳細な説明】
【技術分野】
【０００１】
本発明は、重ね合わされて載置された原稿を、１枚に分離して搬送する技術に関する。
【背景技術】
【０００２】
従来からスキャナーやファクシミリ装置、或いはプリンターには、載置された多数枚の原稿を１枚に分離して搬送する原稿搬送装置を備えている。このような原稿搬送装置５０は、特許文献１や図１０に示されるように、載置部５１と、分離部５５と、検知部５８と、を有する。載置部５１は、多数枚の原稿が載置される。分離部５５は、載置部５１の下流に配設され、載置部５１に載置された多数枚の原稿を１枚に分離する。検知部５８は、分離部５５の上流側に配設され、載置部５１への原稿の載置を検知する。分離部５５は、分離ローラ５２と、分離片５３と、付勢部材５４とを有する。分離ローラ５２は、載置部５１上に露出する。分離片５３は、分離ローラ５２と対向して取付部材６０の回動軸６０ａに回動可能に取り付けられる。付勢部材５４は、分離片５３を分離ローラ５２に押し付ける方向に付勢する。なお、分離ローラ５２の外周面にはゴム等で構成された高摩擦部５２ａが形成されている。また、分離片５３の分離ローラ５２と接触する側の表面には、ゴム等で構成された高摩擦接触部５３ａが形成されている。
【０００３】
検知部５８は、検知片５６と、検知部材５７とから構成されている。
検知片５６は、分離ローラ５２と対向する位置の回動軸５６ｂに軸着される。検知部材５７は、検知片５６の回動を検知する。載置部５１上に原稿が載置されていない場合には、検知片５６の先端５６ｂは、載置部５１上の載置面と交差して、載置部５１上に形成された侵入穴内５１ａに侵入している。一方で、検知片５６の基端に形成された遮蔽片５６ｃは、検知部材５７の前面を遮蔽している。原稿が載置部５１上に載置されると、載置部５１に載置された原稿により検知片５６が回動される。そして、閉塞片５６ｃによる検知部材５７の前面の遮蔽状態が解除される。検知部材５７が載置部５１上への原稿の載置を検知する。検知部材５７が載置部５１上への原稿の載置を検知すると、図示しない駆動手段により分離ローラ５２が回転される。すると、載置部５１に載置された原稿が、重なり合った状態で、分離ローラ５２と分離片５３との間の搬送路に侵入する。分離片５３に接して大きな摩擦抵抗を受けている原稿よりも、分離ローラ５２と接触する最下層の原稿が、分離ローラ５２の摩擦力により搬送路を進むという捌き作用を受ける。この作用により、原稿が分離される。図１０の点線で示されるように、反った原稿９２が載置部５１に載置されると、原稿９２の先端は高摩擦の分離片５３と接触するため、原稿９２は分離片５３で停止してしまい、搬送路に侵入しない。この現象は、葉書等の紙厚があり、こしがある紙質の原稿で特に顕著である。そこで従来では、低摩擦の金属板バネで構成されたガイド部材５９を、分離片５３に沿うように、取付部材６０に取り付けていた。このように構成することにより、載置部５１に載置された原稿は、ガイド部材５９により、分離ローラ５２と分離片５３との接触位置であるニップ位置にガイドされる。
【先行技術文献】
【特許文献】
【０００４】
【特許文献１】特開平５−２４７０２号公報
【発明の概要】
【発明が解決しようとする課題】
【０００５】
紙が詰まった時に、詰まった紙を除去するために、分離片５３及びガイド部材５９を取り付けている取付部材６０は、分離ローラ５２から開離するように構成されている。取付部材６０が分離ローラ５２から開離した状態では、ガイド部材５９は露出している。このため、ユーザーがガイド部材５９に触れてしまう。ガイド部材５９は、金属バネで構成されているため、ガイド部材５９が曲がってしまい、バネとして機能しない恐れがある。ガイド部材５９が曲がってしまうと、載置部５１に載置された原稿が分離ローラ５２に接触せず、空送が発生してしまう。
本発明は、上記問題を解決し、原稿が確実にニップ位置にガイドされ、前記原稿が１枚に分離されて搬送される原稿搬送装置を提供することを目的とする。
【課題を解決するための手段】
【０００６】
上記課題を解決するためになされた請求項１に記載の発明は、回転駆動される分離ローラと、前記分離ローラ上の対向位置に回動可能に配設され、前記分離ローラ側に付勢された分離片と、前記分離ローラ及び分離片との間に形成された搬送路への原稿の侵入を検知する検知手段とを有し、前記検知手段が前記搬送路への原稿の侵入を検知した場合には、前記分離ローラが回転し、原稿先端と前記分離片との摩擦抵抗により重ねられた原稿の１枚のみを送給する原稿送給装置において、前記搬送路を挟んで前記分離ローラと対向する位置を回動軸として回動可能に配設された回動部材を有し、前記回動部材は、前記回動軸から分離ローラ側に延出する第１部材と、前記回動軸から前記第１の部材の延出方向と異なる側に延出する第２部材を有し、前記回動部材は、前記第１部材が前記分離ローラ側に近接する方向へ付勢され、前記搬送路に原稿が侵入した場合には、原稿の先端は、前記第１部材により前記分離ローラ側にガイドされ、検知手段は、前記第２部材の位置変化を検知することにより、前記搬送路への原稿の侵入を検知することを特徴とする。
【０００７】
請求項２に記載の発明は、請求項１に記載の発明において、前記回動部材は、搬送される前記原稿の原稿面の上面側位置に設けられ、
前記第２部材の自重により、前記第１の部材が、前記回動軸を支点として、前記分離ローラ側に近接する方向へ付勢されることで、前記第１部材が搬送状態にある原稿を当該原稿の下面側方向にガイドすることを特徴とする。これにより、バネ等の付勢部材を設けること無く、回動部材を付勢させることができるので、部品を削減して製造コストを低減させることが可能となる。
【０００８】
請求項３に記載の発明は、請求項２に記載の発明において、前記第２部材の回転軸からの質量モーメントが、前記第１部材の回転軸からの質量モーメントよりも大きくなるように前記回動部材が構成されていることを特徴とする。これにより、確実に、前記第２部材の自重により、前記第１の部材を、前記回動軸を支点として、前記分離ローラ側に近接する方向へ付勢させることが可能となる。
【０００９】
請求項４に記載の発明は、請求項１〜請求項３に記載の発明において、前記第１部材には、分離ローラ側に曲線状に膨出する膨出部が形成されていることを特徴とする。これにより、原稿の先端を第１部材で分離ローラの中心方向に押圧させて、確実に前記原稿をニップ位置にガイドさせることが可能となり、且つ、回動部材の回動軸を分離ローラに近接させることが可能となるので、回動部材の回動軸が分離ローラから離れることによる原稿搬送装置の大型化を防止し、原稿搬送装置を小型化することが可能となる。
【００１０】
請求項５に記載の発明は、請求項１〜請求項４に記載の発明において、前記第１部材が、分離ローラと分離片が接触するニップ位置方向に近接するように構成されていることを特徴とする。これにより、より確実に原稿をニップ位置にガイドさせることが可能となる。
【００１１】
請求項６に記載の発明は、請求項１〜請求項５に記載の発明において、前記第１部材は回転軸から前記分離ローラの回動軸方向に沿って、前記分離ローラの両側に配置されていることを特徴とする。これにより、原稿の先端は２つの第１部材で分離ローラ両側に押圧されるので、前記原稿がより確実にニップ位置にガイドされる。
【００１２】
請求項７に記載の発明は、請求項６に記載の発明において、前記第１部材は、前記分離ローラの回転軸方向に沿って、前記分離ローラの外側に配置されていることを特徴とする。これにより、原稿の先端は２つの第１部材で分離ローラの幅方向外側から押圧されるので、原稿の先端が分離ローラの幅方向の全面に接触し、原稿の先端がより確実にニップ位置にガイドされる。
【発明の効果】
【００１３】
分離ローラと対向する位置の回動軸から分離ローラ側に延出する第１部材と、前記回動軸から前記第１の部材の延出方向と異なる側に延出する第２部材を有し、前記第１部材が分離ローラ側に付勢されるように、前記回動軸に回動可能に配設された回動部材を設けたので、搬送路に原稿が侵入した場合には、前記第２部材の位置変化が検知部で検知されるとともに、前記原稿の先端が前記第１部材により前記分離ローラ側にガイドされ、原稿が確実にニップ位置にガイドされる。また、従来のように独立したガイド部材を設ける必要が無いので、部品点数を削減することが可能となり、製造コストを低減させることが可能となる。更に、従来のように、金属板製のガイド部材が曲がってしまい、原稿がニップ位置にガイドされないという問題を排除することが可能となる。
【図面の簡単な説明】
【００１４】
【図１】スキャナーの斜視図及びの断面図である。
【図２】本発明の実施の形態を示す原稿搬送装置の斜視図である。
【図３】取付部材及び分離片を除去した状態の原稿搬送装置の斜視図である。
【図４】図２のＢ視側面図である。
【図５】回動部材の斜視図及び側面図である。
【図６】載置部に原稿が載置されている状態の説明図である。
【図７】膨出部を形成した理由の説明図である。
【図８】回動部材の別例の斜視図である。
【図９】取付部材及び分離片を除去した状態の原稿搬送装置の斜視図である。（別例）
【図１０】従来の原稿搬送装置の側面図である。
【発明を実施するための形態】
【００１５】
（スキャナーの説明）
図１を用いて、本発明の原稿搬送装置２０が用いられるスキャナー４０の説明をする。なお、図１の（Ａ）はスキャナー４０の斜視図であり、図１の（Ｂ）は（Ａ）に示されるスキャナー４０のＡ−Ａ断面図である。スキャナー４０は、箱形の筐体３１と、この筐体３１に覆着されるカバー部材３２を有している。カバー部材３２は、その下端で、筐体３１に回動可能に取り付けられている。筐体３１とカバー部材３２間には、本発明の原稿搬送装置２０が配設されている。図１や図２に示される原稿載置台１の載置部１ａに積載された原稿は、原稿搬送装置２０で一枚に分離されて搬送され、筐体３１内に収納される図示しない読み取り手段で読み取られた後に排出される。
【００１６】
（原稿搬送装置の構造）
図２は図１に示される原稿搬送装置２０の斜視図である。図４は図２に示される原稿搬送装置２０のＢ視側面図である。本発明の原稿搬送装置２０は、原稿載置台１と、分離ローラ２、第２分離ローラ３、取付部材１０、分離片１１、付勢部材１２、回動部材１５、検知部材１６を有している。
原稿載置台１は、搬送方向の下向き傾斜状に設けられている。原稿載置台１の中央から搬送方向の上側は、載置部１ａとなっている。載置部１ａには、多数枚の原稿が載置される。原稿載置台１の載置部１ａよりも搬送方向の下側は、原稿搬送部１ｂとなっている。図３に示されるように、載置部１ａの下端部の幅方向中央近傍には、露出穴１ｃが形成されている。
【００１７】
分離ローラ２は、露出穴１ｃから上向きに露出して、載置部１ａの下側に回転自在に配設されている。図４に示されるように、分離ローラ２の外表面には、ゴム等で構成された高摩擦部２ａが形成されている。図３に示されるように、原稿搬送部１ｂの上端部の幅方向中央近傍には、露出穴１ｄが形成されている。第２分離ローラ３は、露出穴１ｄから上向きに露出して、原稿搬送部１ｂの下側に回転自在に配設されている。つまり、第２分離ローラ３は、分離ローラ２の下流側に配設されている。分離ローラ２及び第２分離ローラ３は、駆動手段により連動して回転駆動される。
【００１８】
図４に示されるように、分離ローラ２及び第２分離ローラ３と対向位置に、分離片支持部材１０が配設されている。分離片支持部１０は、カバー部材３２に取り付けられている。カバー部材３２を回動させると、分離片支持部１０は、分離ローラ２及び第２分離ローラ３に対して開離するようになっていて、紙詰まり時に原稿を除去可能になっている。分離片支持部材１０の原稿の搬送方向上流側位置、つまり、分離ローラ２と対向する位置には、軸支部１０ａが形成されている。軸支部１０ａには、分離片１１が回動可能に取り付けられている。分離片１１は、原稿の搬送方向下流側に向かって分離ローラ２の外周面に徐々に近接している。分離片１１は、付勢部材１２により、分離ローラ２側に付勢されている。本実施形態では、付勢部材１２は、分離片１１と分離片支持部材１０間に取り付けられたコイルスプリングである。付勢部材として捲回スプリングを用い、捲回スプリングを軸支部１０ａに取り付け、分離片１１が分離ローラ２側に付勢される構成であっても差し支えない。分離片１１の分離ローラ２と接触する側の外表面には、ゴム等で構成された高摩擦接触部１１ａが形成されている。分離ローラ２と分離片１１間が、原稿の搬送路となっている。分離片１１の高摩擦接触部１１ａと分離ローラ２の高摩擦部２ａが接触する位置は、ニップ位置となっている。言い換えれば、分離片１１の高摩擦接触部１１ａと分離ローラ２の高摩擦部２ａが接触する位置は、原稿を分離する分離位置となっている。なお、本実施形態におけるニップ位置または分離位置に近接する位置とは、ニップ位置または分離位置とから所定距離離れた位置のことである。
【００１９】
図４に示されるように、原稿の搬送路を挟んで、分離ローラ２と対向する位置を回動軸（回動軸部１５ａ）として、回動部材１５が取付部材１０に回動自在に取り付けられている。前記回動軸は、軸支部１０ａよりも、やや原稿の搬送方向上流側に位置している。言い換えると、回動部材１５は、搬送される前記原稿９１の原稿面上面側位置に、回転自在に取り付けられている。図５の（Ａ）は回動部材１５の斜視図であり、図５の（Ｂ）は回動部材１５の側面図である。図５に示されるように、回動部材１５は、回動軸部１５ａから分離ローラ２側に延出する第１部材１５ｂと、回動軸部１５ａから第１部材１５ｂの延出方向と異なる方向つまり反対側に延出する第２部材１５ｃとが一体に形成されている。回動軸部１５ａは、前記した位置の回動軸に軸支されている。本実施形態では、第１部材１５ｂは、軸部材１５ａの両端に２つ形成されている。つまり、第１部材１５ｂは、分離ローラ２の回動軸方向に沿って、分離ローラ２の両外側に配置されている。第２部材１５ｃは、軸部材１５ｃから立ち上がる板状の立ち上がり片１５ｄと、立ち上がり片１５ｄの上端から更に突出する検知片１５ｆとから構成されている。本実施形態では立ち上がり片１５ｄの上部には、複数の重り片１５ｅが突設されている。本実施形態では、回動部材１５は、合成樹脂で一体成形されている。回動部材１５（第１部材１５ｂを含む）は、回動方向に変形しない剛体で構成されている。第１部材１５ｂが分離ローラ２側に近接する方向へ、回動部材１５が自重で付勢されるように構成されている。具体的には、第２部材１５ｃの回動軸部１５ａからの質量モーメントが、第１部材１５ｂの回転軸部１５ａからの質量モーメントよりも大きくなるように回動部材１５を形成している。このため、第１部材１５ｂには、回動軸部１５ａを支点として、第１部材１５ｂにより搬送方向の垂直下面側に力が加わる。この自重により、第１部材１５ｂは、回動軸部１５ａを支点として、反時計回りの方向に力を加えることができる。この力により、搬送される原稿９１を、搬送方向の垂直下面側に付勢し、分離ローラ２へ搬送することができる。なお、第２部材１５ｃの回動軸部１５ａからの質量モーメントを、第１部材１５ｂの回転軸部１５ａからの質量モーメントよりも十分に大きくするために、重り片１５ｅは回転軸１５ａから遠い位置に形成されていることが好ましい。第１部材１５ｂには、分離ローラ２側に曲線状に膨出する膨出部１５ｇが形成されている。言い換えれば、膨出部１５ｇは、搬送方向の垂直下面側に膨張している。
【００２０】
図３に示されるように、２つの第１部材１５ｂは、分離ローラ２の幅方向（回動軸方向）の外側に位置している。前述したように、第２部材１５ｃの自重により、第１部材１５ｂが分離ローラ２側に近接する方向に、回動部材１５は付勢されている。このため、載置部１ａに原稿が載置されていない状態では、図３や図４に示されるように、第１部材１５ｂの先端は、載置部１ａの載置面を交差して、露出穴１ｄ内に侵入している。
【００２１】
載置部１ａと原稿とを挟んで対向する位置に検知部材１６が配設されている。言い換えると、載置部１ａの搬送方向の垂直上面側に、検知部材１６が配設されている。検知部材１６はフォトセンサー等の物体の有無を検知する検知部１６ａを有している。図４に示されるように、載置部１ａに原稿が載置されていない状態では、検知部１６ａの前面には回動部材１５の検知片１５ｆが位置している。
【００２２】
（本発明の作用）
図６を用いて本発明の作用について説明する。図６に示されるように、載置部１ａに原稿９１が載置されると、原稿９１の先端が回動部材１５の膨出部１５ｇを押圧する。そして、回動部材１５が回動される。すると、検出部１６ａの前面から回動部材１５の検出片１５ｆが存在しなくなるので、検出部材１６は載置部１への原稿の載置を検出する。検出部材１６が載置部１への原稿の載置を検出すると、分離ローラ２及び第２分離ローラ３が回転駆動される。前述したように、第２部材１５ｃの自重により、第１部材１５ｂは分離ローラ３側に付勢されている。このため、第１部材１５ｂにより、搬送状態にある原稿９１の先端は、原稿９１の下面側方向にガイドされ、分離ローラ２側にガイドされる。このため、載置部１ａに積載された最下層の原稿９１の先端は、分離ローラ２から離間することが無く、ニップ位置にガイドされる。
【００２３】
載置部１ａに積載された最下層以外の原稿９１は、分離片１１の高摩擦接触部１１ａと接触し、高摩擦接触部１１ａとの摩擦抵抗により堰き止められる。一方で、載置部１ａに積載された最下層の原稿９１は、回転する分離ローラ２の高摩擦部２ａと接触し、分離ローラ２の摩擦力により、分離ローラ２と分離片１１との間に形成される搬送路に侵入する。すると、分離片１１の高摩擦接触部１１ａに接して大きな摩擦抵抗を受けている原稿９１よりも、分離ローラ２の高摩擦部２ａと接触する最下層の原稿９１のみが、高摩擦部２ａとの摩擦力により搬送路を進むという捌き作用を受け分離される。そして、分離された原稿９１のみが搬送路に侵入する。搬送路に侵入した原稿９１は、第２分離ローラ３によって、搬送路を送給される。
【００２４】
図６に示されるように、第１部材１５の膨出部１５ｇが分離ローラ２と分離片１１との接触するニップ位置に近接するように、回動部材１５が構成され、回動部材１５の回動軸が設定されている。このように構成されているので、載置部９１に載置された最下層の原稿９１の先端が、確実にニップ位置にガイドされる。本実施形態では、２つの第１部材１５の中間位置と、分離ローラ２の幅方向の中間位置は一致している。このため、載置部１ａに載置された原稿９１の先端が、幅方向均等に分離ローラ２にガイドされ、原稿９１が傾いて斜めに搬送路に侵入することが無い。本実施形態では、第１部材１５ｂは軸部材１５ａの両端に２つ形成され、これらの第１部材１５ｂは、分離ローラ２の幅方向外側に配置されているので、最下層の原稿９１の先端は２つの第１部材１５ｂで分離ローラ２の幅方向の外側から押圧されるので、最下層に原稿９１の先端が分離ローラ２の幅方向の全面に接触し、当該原稿９１の先端が確実にニップ位置にガイドされる。
【００２５】
次に、図７を用いて、回動部材１５の第１部材１５ｂに膨出部１５ｇを形成した理由について説明する。原稿９１をニップ位置に確実にガイドするためにはできるだけニップ近傍で原稿９１を押さえることが望ましい。もし、第１部材１５ｂを直線形状とした場合、その回動軸部の位置は、図7に示すように１５ａの位置となる。図７に示されるように、第１部材１５ｂを長くして、回動部材１５の回動軸を、分離ローラ２から離れた搬送方向上流側に設定しなければなない。このため、回動部材１５を取り付ける取付部材１０が大型化し、原稿搬送装置２０もまた大型化してしまう。一方で、分離ローラ２側に曲線状に膨出する膨出部１５ｇを形成することにより、図6または図７に示されるように、回動軸部１５ａの位置を、より分離ローラ２側に接近させることができる。このように、第１部材１５ｂに膨出部１５ｇを形成することで分離機構の小型化が可能となる。以上の理由により、第１部材１５ｂに、分離ローラ２側に曲線状に膨出する膨出部１５ｇを形成することとした。
【００２６】
（別例）
図８及び図９を用いて、本発明の別例の原稿搬送装置２５について説明する。別例の原稿搬送装置１５に用いられる回動部材１５は、図８に示されるように、１つの第１部材１５ｂが、回動軸部１５ａの中央を含む位置から延設されている。図９に示されるように、分離ローラ２の幅方向中央には、侵入凹部２ｂが凹陥形成されている。回転部材１５の第１部材１５ｂは、侵入凹部２ｂ内に侵入している。
【００２７】
（総括）
以上説明した実施形態では、第２部材１５ｃの自重により、回動部材１５を第１部材１５ｂが分離ローラ２側に近接する方向に付勢されるように構成した実施形態について本発明の原稿搬送装置２０を説明したが、回動軸部５ａに捲回スプリングを取り付け、回動部材１５を第１部材１５ｂが分離ローラ２側に近接する方向に付勢されるよう構成しても差し支えない。
また、検知部１６ａとして、フォトセンサーの代わりに、機械的なスイッチを用いて、第２部材１５ｃの位置変化を検知する構成であっても差し支えない。
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う原稿搬送装置もまた技術的範囲に包含されるものとして理解されなければならない。 
【符号の説明】
【００２８】
１５    回動部材
１５ａ  回動軸部
１５ｂ  第１の部材
１５ｃ  第２の部材
１５ｄ  立ち上がり片
１５ｅ  重り片
１５ｆ  検知片
１５ｇ  膨出部
１６    検知部材
１６ａ  検知部
２０    原稿搬送装置
【図１】
2011207542.tif 000003
【図２】
2011207542.tif 000004
【図３】
2011207542.tif 000005
【図４】
2011207542.tif 000006
【図５】
2011207542.tif 000007
【図６】
2011207542.tif 000008
【図７】
2011207542.tif 000009
【図８】
2011207542.tif 000010
【図９】
2011207542.tif 000011
【図１０】
2011207542.tif 000012